【手続補正書】
【提出日】平成18年4月13日(2006.4.13)
【手続補正１】
【補正対象書類名】明細書
【補正対象項目名】発明の名称
【補正方法】変更
【補正の内容】
【発明の名称】携帯可能電子装置およびＩＣカード
【手続補正２】
【補正対象書類名】明細書
【補正対象項目名】特許請求の範囲
【補正方法】変更
【補正の内容】
【特許請求の範囲】
【請求項１】  データを記憶するメモリと、このメモリに対してアクセスを行なうための制御部とを有し、選択的に外部との間でデータの入出力を行なう携帯可能電子装置において、
前記メモリ内に設定され、アプリケーションにて運用されるデータを格納するもので、固有のファイル名が付与されているファイルと、
前記メモリ内に設定され、前記ファイルに格納されたデータを管理するもので、少なくとも前記ファイルの名称を表わすファイル名およびそのファイルに対するアクセス条件を表わすアクセス条件情報を有するファイル制御情報を格納するファイル制御情報格納手段と、
このファイル制御情報格納手段に格納されたファイル制御情報内のファイル名を、外部から入力されるコマンドに基づき変更するファイル名変更手段と、
を具備したことを特徴とする携帯可能電子装置。
【請求項２】  前記ファイル名変更手段によるファイル名の変更を行なうにあたり、キー情報の照合あるいは認証を必要とすることを特徴とする請求項１記載の携帯可能電子装置。
【請求項３】  前記ファイル制御情報は、さらにファイル名を変更可能か否かを識別するための識別子を有し、この識別子が変更可能状態になっているときだけ、前記ファイル名変更手段によるファイル名の変更を可能としたことを特徴とする請求項１記載の携帯可能電子装置。
【請求項４】  前記識別子は、前記ファイル名変更手段によるファイル名の変更が一度実行されると、変更不可能状態に設定さることを特徴とする請求項３記載の携帯可能電子装置。
【請求項５】  データを記憶するメモリと、このメモリに対してアクセスを行なうための制御部とを有し、選択的に外部との間でデータの入出力を行なう携帯可能電子装置において、
前記メモリ内に設定され、アプリケーションにて運用されるデータを格納するもので、固有のファイル名が付与されているファイルと、
前記メモリ内に設定され、前記ファイルに格納されたデータを管理するもので、少なくとも前記ファイルの名称を表わすファイル名およびそのファイルに対するアクセス条件を表わすアクセス条件情報を有するファイル制御情報を格納するファイル制御情報格納手段と、
このファイル制御情報格納手段に格納されたファイル制御情報内のアクセス条件情報を、外部から入力されるコマンドに基づき変更するアクセス条件変更手段と、
を具備したことを特徴とする携帯可能電子装置。
【請求項６】  前記アクセス条件変更手段によるアクセス条件情報の変更を行なうにあたり、キー情報の照合あるいは認証を必要とすることを特徴とする請求項５記載の携帯可能電子装置。
【請求項７】  前記ファイル制御情報は、さらにアクセス条件情報を変更可能か否かを識別するための識別子を有し、この識別子が変更可能状態になっているときだけ、前記アクセス条件変更手段によるアクセス条件情報の変更を可能としたことを特徴とする請求項５記載の携帯可能電子装置。
【請求項８】  前記識別子は、前記アクセス条件変更手段によるアクセス条件情報の変更が一度実行されると、変更不可能状態に設定さることを特徴とする請求項７記載の携帯可能電子装置。
【請求項９】 アプリケーションにて運用されるデータを格納するもので固有のファイル名が付与されているファイル、および、前記ファイルに格納されたデータを管理するもので少なくとも前記ファイルの名称を表わすファイル名およびそのファイルに対するアクセス条件を表わすアクセス条件情報を有するファイル制御情報を格納するファイル制御情報格納手段を有するメモリと、このメモリに対してアクセスを行なうための制御部と、前記メモリのファイル制御情報格納手段に格納されたファイル制御情報内のファイル名を外部から入力されるコマンドに基づき変更するファイル名変更手段とを備えたＩＣチップと、
このＩＣチップを埋設したＩＣカード本体と、
を具備したことを特徴とするＩＣカード。
【請求項１０】 アプリケーションにて運用されるデータを格納するもので固有のファイル名が付与されているファイル、および、前記ファイルに格納されたデータを管理するもので少なくとも前記ファイルの名称を表わすファイル名およびそのファイルに対するアクセス条件を表わすアクセス条件情報を有するファイル制御情報を格納するファイル制御情報格納手段を有するメモリと、このメモリに対してアクセスを行なうための制御部と、前記メモリのファイル制御情報格納手段に格納されたファイル制御情報内のアクセス条件情報を外部から入力されるコマンドに基づき変更するアクセス条件変更手段とを備えたＩＣチップと、
このＩＣチップを埋設したＩＣカード本体と、
を具備したことを特徴とするＩＣカード。
【手続補正３】
【補正対象書類名】明細書
【補正対象項目名】０００１
【補正方法】変更
【補正の内容】
【０００１】
【発明の属する技術分野】
本発明は、たとえば、書換え可能な不揮発性メモリおよびＣＰＵなどの制御素子を有し、外部からのデータの入出力を行なう手段を備えたＩＣ（集積回路）チップを内蔵した、いわゆるＩＣカードと称される携帯可能電子装置およびＩＣカードに関する。
【手続補正４】
【補正対象書類名】明細書
【補正対象項目名】０００５
【補正方法】変更
【補正の内容】
【０００５】
そこで、本発明は、ファイル制御情報内のファイル名（ＤＦ名）あるいはアクセス条件情報をコマンドを使って１次発行後に書換えることができる携帯可能電子装置およびＩＣカードを提供することを目的とする。
【手続補正５】
【補正対象書類名】明細書
【補正対象項目名】００１３
【補正方法】変更
【補正の内容】
【００１３】
また、本発明の携帯可能電子装置は、上記識別子は、アクセス条件変更手段によるアクセス条件情報の変更が一度実行されると、変更不可能状態に設定さることを特徴とする。
また、本発明のＩＣカードは、アプリケーションにて運用されるデータを格納するもので固有のファイル名が付与されているファイル、および、前記ファイルに格納されたデータを管理するもので少なくとも前記ファイルの名称を表わすファイル名およびそのファイルに対するアクセス条件を表わすアクセス条件情報を有するファイル制御情報を格納するファイル制御情報格納手段を有するメモリと、このメモリに対してアクセスを行なうための制御部と、前記メモリのファイル制御情報格納手段に格納されたファイル制御情報内のファイル名を外部から入力されるコマンドに基づき変更するファイル名変更手段とを備えたＩＣチップと、このＩＣチップを埋設したＩＣカード本体とを具備している。
さらに、本発明のＩＣカードは、アプリケーションにて運用されるデータを格納するもので固有のファイル名が付与されているファイル、および、前記ファイルに格納されたデータを管理するもので少なくとも前記ファイルの名称を表わすファイル名およびそのファイルに対するアクセス条件を表わすアクセス条件情報を有するファイル制御情報を格納するファイル制御情報格納手段を有するメモリと、このメモリに対してアクセスを行なうための制御部と、前記メモリのファイル制御情報格納手段に格納されたファイル制御情報内のアクセス条件情報を外部から入力されるコマンドに基づき変更するアクセス条件変更手段とを備えたＩＣチップと、このＩＣチップを埋設したＩＣカード本体とを具備している。
【手続補正６】
【補正対象書類名】明細書
【補正対象項目名】００４３
【補正方法】変更
【補正の内容】
【００４３】
【発明の効果】
以上詳述したように本発明によれば、ファイル制御情報内のファイル名（ＤＦ名）あるいはアクセス条件情報をコマンドを使って１次発行後に書換えることができる携帯可能電子装置およびＩＣカードを提供できる。